(57)【要約】【課題】濾過材は基材パックの向い合う端部の間に延びている中心開口部を有する基材パックを含む。【解決手段】中心チューブのような支持部材は、中心開口部を貫通し且つ向い合う端部の一方を支持している。ガイドのような第二支持部材は、第二支持部材に固着され且つ向い合う端部の他方を支持している。ガイドはフィルタ内に部品を装填して所望のシーリングを行う。ガイドは、１つの例において可撓性プラスチックタブによって供給され、他の例においてエラストマー系縁当によって供給される。【選択図】図１
2008149319.tif 000002
【特許請求の範囲】
【請求項１】
ａ）基材パックをガイドで支持して基材パックアセンブリを形成する工程と；
ｂ）前記基材パックアセンブリをハウジングに挿入する工程と；
ｃ）前記ハウジングを前記ガイドと係合させる工程を備えているフィルタの組立て方法。
【請求項２】
工程ａ）は、前記基材パック内で中心チューブを前記ガイドに固着して前記基材パックアセンブリを形成することを含む、請求項１に記載の方法。
【請求項３】
工程ａ）は、前記基材パックと前記ガイドとの間にシールを配置することを含む、請求項２に記載の方法。
【請求項４】
工程ｂ）は、前記ガイドを備えている前記基材パックアセンブリの端部を最初に前記ハウジングに挿入することを含み、工程ｃ）は、前記ハウジングの閉鎖状の端部を前記ガイドと係合させることを含む、請求項１に記載の方法。
【請求項５】
工程ｃ）は、前記ガイドから延びている可撓性タブを撓ませることを含む、請求項１に記載の方法。
【請求項６】
工程ｃ）は、前記ガイドの中心に設置されている縁当を撓ませることを含む、請求項１に記載の方法。
【請求項７】
工程ａ）は、前記縁当を開口部に挿入することを含む、請求項６に記載の方法。
【請求項８】
工程ａ）は、間隔をあけて設けられ且つ前記基材パックから延びている脚部で前記縁当を保持することを含む、請求項７に記載の方法。
【請求項９】
前記縁当は、前記ガイドと一体に成型されている、請求項６に記載の方法。
【請求項１０】
キャビティを有するハウジングと；
前記キャビティに配置され且つ向い合う端部を有する基材パックと；
前記向い合う端部の一方を支持している可撓性プラスチックから形成されているガイドとを備え、前記ガイドは、前記ハウジングと係合して曲がることが可能であり且つ前記基材パック上に負荷を生成するフィルタ。
【請求項１１】
前記ガイドおよび中心チューブは、前記基材パックを中心として互いに固着されてフィルタカートリッジアセンブリを形成する、請求項１０に記載のフィルタ。
【請求項１２】
前記ガイドおよび前記中心チューブは、係止構造によって互いに固着されている、請求項１１に記載のフィルタ。
【請求項１３】
シールは、軸方向に前記ガイドと前記基材パックとの間に配置されている、請求項１１に記載のフィルタ。
【請求項１４】
前記フィルタカートリッジアセンブリは、前記ガイドに対向するシールを形成するバルブを支持し、前記ガイドは前記シールを付勢して前記ハウジングのタッピング板と係合させる、請求項１１に記載のフィルタ。
【請求項１５】
前記ガイドは、半径方向外側且つ前記基材パックから軸方向に離れて延びて前記ハウジングに接触する係合面に終結する多数のタブを含む、請求項１０に記載のフィルタ。
【請求項１６】
前記多数のタブは、前記ガイドを中心として円周方向に互いに間隔をあけて設けられている、請求項１０に記載のフィルタ。
【請求項１７】
キャビティを有するハウジングと；
前記キャビティに配置され且つ向い合う端部を有する基材パックと；
前記向い合う端部の一方を支持している第一側とエラストマー系縁当を支持している第一側と反対側の第二側とを含むガイドとを備え、前記エラストマー系縁当は、前記ハウジングと係合して曲がり且つ前記基材パック上に負荷を生成する、フィルタ。
【請求項１８】
前記ガイドは、前記縁当を受ける開口部を形成する脚部を含み、前記脚部が前記縁当を保持している、請求項１７に記載のフィルタ。
【請求項１９】
前記縁当は、前記ガイドと一体に成型されている、請求項１７に記載のフィルタ。
【請求項２０】
前記ガイドおよび中心チューブは、前記基材パックを中心として互いに固着されてフィルタカートリッジアセンブリを形成する、請求項１７に記載のフィルタ。
【請求項２１】
前記ガイドおよび中心チューブは、係止構造によって互いに固着されている、請求項２０に記載のフィルタ。
【請求項２２】
シールは、前記ガイドと前記基材パックとの間に軸方向に配置されている、請求項１７に記載のフィルタ。
【請求項２３】
前記縁当は、前記ガイドの中心部分に設けられている、請求項１７に記載のフィルタ。
【請求項２４】
前記ガイドの上部に設けられている中心突出部は、前記縁当の中心部分内に突出している、請求項１７に記載のフィルタ。
【請求項２５】
ａ）基材パックをガイドで支持して基材パックアセンブリを形成し；
ｂ）前記基材パックアセンブリをハウジングに挿入し；
ｃ）前記ハウジングを前記ガイドと係合させることを備えている、フィルタの組立て方法。
【発明の詳細な説明】
【技術分野】
【０００１】
本発明は、フィルタカートリッジアセンブリを共に形成する中心チューブおよびフィルタ用ガイドに関する。さらに詳しくは、本発明はフィルタカートリッジアセンブリをフィルタハウジング内に設置する負荷装置を備えると共にフィルタカートリッジアセンブリの一端部を備えるガイドに関する。
【背景技術】
【０００２】
通常のフィルタは、基材パックを有するフィルタカートリッジアセンブリを含む。基材パックは、通常、向い合う端部ディスクの間に配置されている濾過材を含む。中心チューブは、濾過材によって付与されている中心開口部において端部ディスクの間に設けられて濾過材が濾過材の入口側から出口側への中心開口部へ流体が流れる際に破壊されることを防ぐ。ガイドは、端部ディスクの１つとフィルタハウジングとの間に別体として配置されている。ガイドは、適切なシーリングのためのフィルタハウジング内にフィルタカートリッジアセンブリを設け且つ設置する。
【発明の開示】
【発明が解決しようとする課題】
【０００３】
ガイドは、通常、金属コイルバネまたは板バネであり、組立時、取り扱いが困難である。ガイドは、フィルタカートリッジアセンブリをタッピング板の方へ付勢し、前記タッピング板が使用されてフィルタを搭載ブロックに固着する。ガイドが不適切に設置されると、内部漏れおよびフィルタにおける緩んだ部分のガタツキが生じる可能性がある。フィルタにおける金属の量を低減して再使用性を改善することも望ましい。必要とされるものは、より容易に適切に組みつけられる非金属ガイドである。
【課題を解決するための手段】
【０００４】
濾過材は、基材パックの向い合う端部の間に延びている中心開口部を有する基材パックを含む。中心チューブのような支持部材は、中心開口部を貫通し且つ向い合う端部の一方を支持している。ガイドのような第二支持部材は、第二支持部材に固着され且つ向い合う端部の他方を支持している。ガイドはフィルタ内に部品を装填して所望のシーリングを行う。ガイドは、１つの例において可撓性プラスチックタブによって供給され、他の例においてエラストマー系縁当によって供給される。
【０００５】
フィルタは、中心チューブを中心開口部に挿入することによって組み立てられているので中心チューブの座部は、基材パックの一端部を支持している。ガイドは、係止構造で中心チューブに固着されて基材パックの他端部を支持している。図示されている例において、座部は、ガイドおよび中心チューブとポケットプリーツ濾過材との間に配置されてフィルタカートリッジアセンブリを提供する。
【０００６】
本発明のこれらおよびその他の特徴は、以下の明細書および以下に簡単に説明する図面からもっともよく理解することができる。
【発明を実施するための最良の形態】
【０００７】
フィルタ１０は図１に示されているように、通常のスピンオンオイルフィルタの代表例である。フィルタ１０は、キャビティを備える缶１４を有するハウジング１２を含む。保持器１６は、缶１４に固着されてタッピング板１８を保持している。タッピング板１８は、出口２２を中心として円周方向に配置されている多数の開口２４によって供給される入口２０を含む。出口２２は、フィルタ１０を搭載ブロック（図示しない）に固着するように使用されるネジ穴２６によって供給される。
【０００８】
基材パック２８は、ハウジング１２内に配置されてオイルから破壊屑を濾過する。オイルは、基材パック２８の入口側３０への入口２０を通ってハウジング１２に流入する。オイルは基材パック２８を通過し、出口側３５へ出て、出口２２から流れる。
【０００９】
基材パック２８は、破壊屑除去のための濾過材３４を含む。濾過材３４は、公知の方法（図示しない）によって２つの端部キャップの間に配置することができる。または、基材パック２８は、図２に示されているように、ポケットプリーツ配置に配置されている濾過材３４を使用して設けられてもよい。濾過材３４は、従来技術において公知のように、ポケット２７に配置されているプリーツ２５を含む。プリーツ２５は、接着剤３１のビーズによって向い合う端部３３のそれぞれの近くに固着されて、ポケット２７を形成するので、内縁部２９は互いに近接している。内縁部２９は、端部３３の間に延びている中心開口部３２を備えている。図２に示されているような濾過材３４を使用することによって、端部３３に通常、固着されている端部キャップを省略することができる。代わりに、可撓性シールは、端部３３に配置され且つ内縁部２９まで延びて、オイルが入口側３０から出口側３５まで濾過材３４を経由することなく流れることを確実にする。
【００１０】
図１に戻り、中心チューブ３６は、中心開口部３２内に配置されて内縁部２９を支持し、濾過材３４が内部でオイルの圧力下で破壊されないようになっている。中心チューブ３６は図示された例において一体構造であり且つ開口部３７を含み、これによりオイルは中心チューブ３６を流れる。ガイド３８は、係止構造７２によって中心チューブ３６に固着されている。ガイド３８は、ハウジング１２の壁４０と係合して所望のとおり部品をフィルタ１０内に位置付け取り付ける。濾過材３４を密閉するために、シール４４は濾過材３４とガイド３８との間に設けられている。シール４４は、ガイド３８と別体でもよいが、ガイド３８と一体に成型されてもよく、または前記ガイドに重ねて成型されてもよい。
【００１１】
逆流防止弁４２は、他端部３３と中心チューブ３６との間に配置されてシールを備えている。逆流防止弁４２は中心チューブ３６と別体でもよいが、中心チューブ３６と一体に成型されてもよく、または前記チューブに重ねて成型されてもよい。安全弁４６は、中心チューブ３６の第一端部５０によって支持されている一方で、中心チューブの対向する第二端部５２は、図示された例において係止構造７２のための連動特徴を備えている。逆流防止弁４２、シール４４および安全弁４６はエラストマーのような好適な材料から構成され、隣接する部品の間に適切なシールを設ける。
【００１２】
図３を参照すると、安全弁４６は基部５４を含み、この基部５４からは外側および内側脚部５６、５８が延出している。溝は外側脚部５６と内側脚部５８との間に配置され、Ｊ型の断面を備えている。内側脚部５８は、中心チューブ３６の内面６１と係合するリップ６０を含む。内側脚部５８は、図１および３に示されているように、安全弁４６が閉じられた位置にある場合、中心チューブ３６において開口部４８を閉鎖する。
【００１３】
中心チューブ３６は、中心チューブ３６の軸体から半径方向の外側に延びている座部６４を含む。逆流防止弁４２は、座部６４上に支持または成型されている環状フランジ６６を含み且つ中心チューブ３６と端部３３との間でシールとして作用する（図１）。中間部６８は、軸方向外側且つタッピング板１８の方へ延びて、図１に示されているように、逆流防止弁４２が閉じられた位置にある場合、タッピング板１８と密閉係合する環状リップ７０に到達する。
【００１４】
基材パック２８、中心チューブ３６、ガイド３８、シール４４および逆流防止弁４２は、フィルタカートリッジアセンブリ８２を構成する。
【００１５】
図１に示されている本例によるフィルタカートリッジアセンブリ８２において、ガイド３８は、半径方向外側および上側に延びて壁４０と係合してフィルタカートリッジアセンブリ８２がハウジング１２において適切に据えられることを確実にする多数の可撓性タブ８４（図４Ａ〜４Ｃに示されている例において８個）を含む。可撓性タブ８４は、壁４０と協働してフィルタカートリッジアセンブリ８２をタッピング板１８の方へ付勢する係合面９４まで延びる（図１参照）。ガイド３８’は、図５に示されているように、可撓性タブ８４の代わりに縁当１００を使用して、ハウジングにおいてフィルタカートリッジアセンブリ８２’を付勢する。
【００１６】
図９Ａは、本発明によるガイドおよび縁当の別の実施例を示す斜視図である。図９Ａに示されているように、ガイド１０６は、基部１０７および複数の腕部７４を含む。基部１０７はくぼみ１０８を含む。腕部７４のそれぞれは、複数のテーパー状の突起７６を含み、これら突起が使用されて基材パック内にガイドを固着する。縁当１０５は、ガイド１０６の上部に設けられてもよい。図９Ａに示されているように、縁当の一部はくぼみ１０８に設けられてもよい。縁当１０５は、さらに以下に説明するように、ガイド１０６と別体でもよいが、ガイド１０６と一体に成型されてもよく、または前記ガイドに重ねて成型されてもよい。
【００１７】
図９Ｂは、図９Ａに示されているガイドおよび縁当の側面図である。図９Ｂに示されているように、シール１０９は、ガイド１０６とともに含まれてもよいが、別体でもよく、または前記ガイドと一体に成型されるかまたは前記ガイドに重ねて成型されるてガイド１０６と濾過材との間にシールを配置してもよい。シール１０９は、隣接している部品間に適切なシールを設けるのに好適なエラストマのような材料から構成されている。
【００１８】
図１０は、図９Ａおよび９Ｂに示されているガイドおよび縁当を備えているフィルタカートリッジアセンブリを有するフィルタの断面図である。縁当１０５の中心部で、中心突出部１１０は、基部に形成されてもよく、前記基部は、くぼみ１０８の中心部から上側に突出している。図１０に示されているように、ガイド１０６は、基部１０７、くぼみ１０８および中心突出部１１０を有する。縁当１０５は、中心突出部１１０上に設けられている。シール１０９は、ガイド１０６と基材パック２８の濾過材３４との間を封止している。縁当１０５は、中心突出部１１０上でガイド１０６に挿入されてもよいが、前記突出部は、設置後、縁当１０５の位置決めを維持する。もしくは、縁当１０５は、中心突出部１１０でガイド１０６と一体に成型されてもよく、または前記ガイドに重ねて成型されてもよい。
【００１９】
図３、４Ａ〜Ｃおよび７Ａ〜Ｂを参照すると、ガイド３８および３８’は基部８６を含み、この基部８６は環状座部９２に対するくぼみ８８を備え、前記環状座部９２は基部８６を包囲している。内側環状肩部９０は、基部８６と座部９２とを相互接続して半径方向に端部３３を設置する（図１）。可撓性腕部７４は、基部８６から下方向に中心開口部３２内に延びて中心チューブ３６と協働する連動特性を付与している。各腕部７４は多数のテーパー状突起７６を含み、これら突起７６は腕部７４に沿って軸方向に間隔をあけて配置されてアセンブリの多数の高さを付与している。４つの腕部７４は、本例によるガイド３８およびガイド３８’上に設けられている。
【００２０】
中心チューブ３６は、その内面６１上にテーパ状の突起８０（図３）を含み、前記突起は連続する環状突起またはいくつかの離散的な突起でもよく、ガイド３８および３８’と協働する連動特性を付与している。突起７６および８０は互いに協働して所望の組立高さ位置で係止構造７２を提供している。突起が本例において示されている一方で、他の連動特性を付与することもできる。また、多数の軸方向に間隔をあけて設けられている突起は、各腕部７４上の多数の突起７６の代わりにまたは前記突起に加えて、中心チューブ３６に設けることもできる。
【００２１】
他の例によるフィルタ１０’およびフィルタカートリッジアセンブリ８２’は図５および６に示されている。フィルタカートリッジアセンブリ８２’は、基部８６から延びてゴム製縁当１００を受ける開口部９８を供給する脚部９６を含む。図６〜８を参照すると、ガイド３８’は、シール４４を支持している第一側９９と、脚部９６が延出している反対側、即ち、第二側１０１とを含む。脚部９６は、開口部９８の方へ内側に延びて縁当を保持している突出部１０４を含む。縁当１００は、その端部よりも小さな直径を有する首部１０２を含む。穴１０３は、端部の間に延びて、設置時、縁当を撓ませる。
【００２２】
フィルタ１０は、先行技術によるフィルタ配置に比べて、比較的容易に組み立てられる。第一に、逆流防止弁４２は、環状フランジ６６が座部６４に支持されるように中心チューブ３６上に設置されている。もしくは、逆流防止弁４２は、中心チューブ３６に接着されるかまたは前記チューブ上に重ねて成型されてもよい。中心チューブ３６の第二端部５２は、基材パック２８の中心開口部３２に挿入されている。シール４４はガイド３８上に設置されている。ガイド３８はプラスチックから形成されてもよい。シール４４はガイド３８に接着されるかまたは前記ガイドに重ねて成型されてもよい。ガイド３８は、係止構造７２を使用して中心チューブ３６に固着されている。中心チューブ３６およびガイド３８は、逆流防止弁４２およびシール４４が基材パック２８の向い合う端部３３に充分密閉係合されるように設けられている。
【００２３】
安全弁４６は、第一端部５０が安全弁４６の溝に据えられるようにフィルタカートリッジアセンブリ８２上に設置されている。そして、フィルタカートリッジアセンブリ８２は、缶１４によって供給されるキャビティに挿入されている。タッピング板１８は、従来技術で周知であるように、保持器１６を使用して缶１４に固着されている。安全弁４６の基部５４は、タッピング板１８に対して密閉されている。
【００２４】
本発明の実施例を開示したが、当業者であれば、或る改良も本発明の範囲内になることを認識するであろう。この理由のために、以下の請求項は、本発明の実際の範囲および内容を決めるものと理解すべきである。
【図面の簡単な説明】
【００２５】
【図１】本例による調節可能なカートリッジアセンブリ配置を使用しているフィルタの断面図である。
【図２】図１に示されているフィルタに使用される基材パックの斜視図である。
【図３】図１に示されているフィルタカートリッジアセンブリの断面図である。
【図４Ａ】図３に示されているガイドの斜視図。
【図４Ｂ】図３に示されているガイドの側面図。
【図４Ｃ】図３に示されているガイドの上面図。
【図５】別のフィルタカートリッジアセンブリを有するフィルタの断面図である。
【図６】図５に示されているフィルタカートリッジアセンブリの断面図である。
【図７Ａ】図６に示されているガイドの斜視図。
【図７Ｂ】図６に示されているガイドの側面図。
【図８】図６に示されているフィルタカートリッジアセンブリに使用される縁当の斜視図である。
【図９Ａ】本発明による、ガイドおよび縁当の別の実施例の斜視図。
【図９Ｂ】図９Ａに示されているガイドおよび縁当の側面図。
【図１０】図９Ａおよび９Ｂによるガイドおよび縁当を備えるフィルタカートリッジアセンブリを有するフィルタの断面図である。
【図１】
2008149319.tif 000003
【図２】
2008149319.tif 000004
【図３】
2008149319.tif 000005
【図４Ａ】
2008149319.tif 000006
【図４Ｂ】
2008149319.tif 000007
【図４Ｃ】
2008149319.tif 000008
【図５】
2008149319.tif 000009
【図６】
2008149319.tif 000010
【図７Ａ】
2008149319.tif 000011
【図７Ｂ】
2008149319.tif 000012
【図８】
2008149319.tif 000013
【図９Ａ】
2008149319.tif 000014
【図９Ｂ】
2008149319.tif 000015
【図１０】
2008149319.tif 000016
【外国語明細書】
2008149319.tif 000017
2008149319.tif 000018
2008149319.tif 000019
2008149319.tif 000020
2008149319.tif 000021
2008149319.tif 000022
2008149319.tif 000023
2008149319.tif 000024
2008149319.tif 000025
2008149319.tif 000026
2008149319.tif 000027
2008149319.tif 000028
2008149319.tif 000029
2008149319.tif 000030
2008149319.tif 000031
2008149319.tif 000032
2008149319.tif 000033
2008149319.tif 000034
2008149319.tif 000035
2008149319.tif 000036
2008149319.tif 000037
2008149319.tif 000038
2008149319.tif 000039
2008149319.tif 000040
2008149319.tif 000041
2008149319.tif 000042
2008149319.tif 000043
2008149319.tif 000044
2008149319.tif 000045
2008149319.tif 000046